(57)【要約】【課題】ワークの加工品質を向上することができるレーザ加工装置を提供する。【解決手段】ワークにレーザ光を照射しつつ、当該レーザ光を加工経路に沿って移動させることにより当該ワークを加工するレーザ加工装置であって、加工経路の少なくとも一方の端領域でのレーザ光の照射角度に応じて、当該端領域でのレーザ光によるワークへの入熱量を制御する。【選択図】図１
2008000779.tif 000002
【特許請求の範囲】
【請求項１】
ワークにレーザ光を照射しつつ、当該レーザ光を加工経路に沿って移動させることにより当該ワークを加工するレーザ加工装置であって、
前記加工経路の少なくとも一方の端領域でのレーザ光の照射角度に応じて、当該端領域でのレーザ光によるワークへの入熱量を制御することを特徴とするレーザ加工装置。
【請求項２】
前記レーザ加工装置は、
レーザ光をワークに照射するための光学系と、
前記照射されるレーザ光を加工経路に沿って移動させる移動手段と、
前記加工経路の少なくとも一方の端領域でのレーザ光の照射角度に応じて、当該端領域での前記レーザ光による前記ワークへの入熱量を制御する制御手段と、を有することを特徴とする請求項１に記載のレーザ加工装置。
【請求項３】
前記制御手段は、前記端領域での入熱量が前記加工経路の主領域での入熱量よりも小さくなるように入熱量を変化させる際に、前記端領域でのレーザ光の照射角度が垂直に近いほど、入熱量を緩やかに変化させることを特徴とする請求項２に記載のレーザ加工装置。
【請求項４】
前記制御手段は、前記端領域での前記レーザ光のスポットの大きさを調整することにより、前記入熱量を制御することを特徴とする請求項２に記載のレーザ加工装置。
【請求項５】
前記制御手段は、前記端領域でのレーザ光のスポット径が前記加工経路の主領域でのスポット径よりも大きくなるようにレーザ光のスポット径を変化させる際に、前記端領域でのレーザ光の照射角度が垂直に近いほど、スポット径を緩やかに変化させることを特徴とする請求項４に記載のレーザ加工装置。
【請求項６】
前記光学系は、前記レーザ光を透過する複数のレンズと、当該複数のレンズのうち少なくとも一つのレンズを光軸方向に移動させ、当該レーザ光の焦点距離を変更するレンズ駆動手段と、を含み、
前記制御手段は、前記レンズ駆動手段を制御して、前記スポットの大きさを調整することを特徴とする請求項４に記載のレーザ加工装置。
【請求項７】
前記制御手段は、前記端領域での前記レーザ光の移動速度を調整することにより、前記入熱量を制御することを特徴とする請求項２に記載のレーザ加工装置。
【請求項８】
前記制御手段は、前記端領域でのレーザ光の移動速度が前記加工経路の主領域での移動速度よりも大きくなるようにレーザ光の移動速度を変化させる際に、前記端領域でのレーザ光の照射角度が垂直に近いほど、移動速度を緩やかに変化させることを特徴とする請求項７に記載のレーザ加工装置。
【請求項９】
前記移動手段は、前記レーザ光を反射するミラーと、当該ミラーを回動させることにより前記レーザ光を移動させるミラー駆動手段と、を含み、
前記制御手段は、前記ミラー駆動手段を制御して、前記レーザ光の移動速度を調整することを特徴とする請求項７に記載のレーザ加工装置。
【請求項１０】
前記ミラーおよび前記ミラー駆動手段と前記光学系とは筐体に収容されて加工ヘッドをなし、
前記移動手段は、前記加工ヘッドを外部から移動させる駆動ロボットをさらに含むことを特徴とする請求項９に記載のレーザ加工装置。
【請求項１１】
前記移動手段は、前記光学系を移動させる駆動ロボットを含み、
前記制御手段は、前記駆動ロボットを制御して、前記レーザ光の移動速度を調整することを特徴とする請求項７に記載のレーザ加工装置。
【請求項１２】
前記光学系にレーザ光を供給するレーザ発振手段をさらに有し、
前記制御手段は、前記レーザ発振手段のレーザ出力を調整することにより、前記入熱量を制御することを特徴とする請求項２に記載のレーザ加工装置。
【請求項１３】
前記制御手段は、前記端領域でのレーザ出力が前記加工経路の主領域でのレーザ出力よりも小さくなるようにレーザ出力を変化させる際に、前記端領域でのレーザ光の照射角度が垂直に近いほど、レーザ出力を緩やかに変化させることを特徴とする請求項１２に記載のレーザ加工装置。
【請求項１４】
前記加工経路の主領域の長さが必要な加工長さになるように、前記入熱量が変化する領域の長さに応じて、前記加工経路を補正する補正手段をさらに有し、
前記移動手段は、前記補正された加工経路に沿って前記レーザ光を移動させることを特徴とする請求項３に記載のレーザ加工装置。
【請求項１５】
ワークにレーザ光を照射しつつ、当該レーザ光を加工経路に沿って移動させることにより当該ワークを加工するレーザ加工方法であって、
前記加工経路の少なくとも一方の端領域でのレーザ光の照射角度に応じて、当該端領域でのレーザ光によるワークへの入熱量を制御することを特徴とするレーザ加工方法。
【発明の詳細な説明】
【技術分野】
【０００１】
本発明は、レーザ加工装置およびレーザ加工方法に関する。本発明は、特に、ワークへの入熱量を制御するレーザ加工装置およびレーザ加工方法に関する。
【背景技術】
【０００２】
近年、車両の組立工程において、スポット溶接に代わりレーザ溶接が採用されている。レーザ溶接技術としては、ロボットに加工ヘッドが取り付けられ、加工ヘッドが移動されるとともに、ワーク表面に沿ってレーザ光が走査されるリモート溶接技術が知られている（たとえば、特許文献１）。リモート溶接技術によれば、レーザ光がワーク上を自在に移動することができるため、加工の自由度が増加するとともに、加工時間が短縮される。
【０００３】
しかしながら、レーザ光が走査されるリモート溶接技術では、レーザ光が斜めにワークに照射されるため、とりわけ、溶接経路の端領域において溶接深さが不安定となり、溶接強度、すなわち、加工品質が劣化するという問題がある。
【０００４】
したがって、溶接深さが不安定な領域を見込んで、溶接領域が延長されているのが現状であり、このことは、溶接時の熱量および溶接時間などを増大させるのみならず、溶接されるワークの美観を損なわせてしまっている。
【特許文献１】特開２００５−１７７８６２号公報
【発明の開示】
【発明が解決しようとする課題】
【０００５】
本発明は、上述した問題を解決するためになされたものである。したがって、本発明の目的は、ワークの加工品質を向上することができるレーザ加工装置およびレーザ加工方法を提供することである。
【課題を解決するための手段】
【０００６】
本発明の上記目的は、下記の手段によって達成される。
【０００７】
本発明のレーザ加工装置は、ワークにレーザ光を照射しつつ、当該レーザ光を加工経路に沿って移動させることにより当該ワークを加工するレーザ加工装置であって、前記加工経路の少なくとも一方の端領域でのレーザ光の照射角度に応じて、当該端領域でのレーザ光によるワークへの入熱量を制御することを特徴とする。
【０００８】
本発明のレーザ加工方法は、ワークにレーザ光を照射しつつ、当該レーザ光を加工経路に沿って移動させることにより当該ワークを加工するレーザ加工方法であって、前記加工経路の少なくとも一方の端領域でのレーザ光の照射角度に応じて、当該端領域でのレーザ光によるワークへの入熱量を制御することを特徴とする。
【発明の効果】
【０００９】
本発明のレーザ加工装置およびレーザ加工方法によれば、加工経路の端領域でのワークへの入熱量が制御されるため、当該端領域での加工が安定化される。その結果、ワークの加工品質が向上される。
【発明を実施するための最良の形態】
【００１０】
以下、図面を参照して、本発明の実施の形態を説明する。なお、以下の実施の形態では、本発明のレーザ加工装置およびレーザ加工方法をレーザ溶接に適用した場合を例にとって説明する。また、図中、同様の部材には同一の符号を用いた。
【００１１】
（第１の実施の形態）
図１は、本発明の第１の実施の形態におけるレーザ加工装置の概略構成を示す図である。本実施の形態のレーザ加工装置は、これまでのスポット溶接と比較して、溶接冶具が直接的にワークと接触することなく、ワークから離れた位置からレーザ光を用いてワークを溶接するものである。
【００１２】
図１に示されるとおり、本実施の形態のレーザ加工装置は、加工ヘッド１００、ロボット２００、レーザ発振器３００、および制御装置４００を有する。
【００１３】
加工ヘッド１００は、ワークにレーザ光を照射するとともに、レーザ光を移動させるものである。加工ヘッド１００は、光ファイバケーブル１１０を介してレーザ発振器３００に接続され、レーザ発振器３００から導入されるレーザ光をワーク表面に照射する。また、加工ヘッド１００は、筐体の内部に光学系を有しており、後述する制御装置４００により制御されてレーザ光のスポット径を調整するとともに、レーザ光を自在に移動させることができる。加工ヘッド１００についての詳細な説明は後述する。
【００１４】
ロボット２００は、加工ヘッド１００を多軸方向に移動させるものである。本実施の形態のロボット２００は、多関節型のアームロボットであって、加工ヘッド１００は、アーム先端部に取り付けられている。ロボット２００は、教示作業によって与えられた動作経路の教示データにしたがって、加工ヘッド１００を移動させる。また、ロボット２００は、加工ヘッド１００を移動させることにより、レーザ光を移動させることができる。言い換えれば、本実施の形態では、加工ヘッド１００およびロボット２００は、レーザ光を移動させる移動手段として機能する。なお、ロボット２００自体は、一般的な多関節型のアームロボットであるため、詳細な説明は省略する。
【００１５】
レーザ発振器３００は、加工ヘッド１００にレーザ光を供給するものである。レーザ発振器３００は、レーザ光を発振するレーザ発振部３１０、レーザ発振部３１０を制御する発振器制御部３２０、および発振器制御部３２０に出力波形信号を入力する信号発生器３３０を有する。信号発生器３３０から入力される出力波形にしたがって、レーザ発振部３１０から出力されるレーザ光の出力は制御される。また、レーザ発振器３００は、制御装置４００からのオン・オフ指令信号にしたがって、レーザ光を出力する。本実施の形態において、レーザ発振器３００は、たとえば、ＹＡＧレーザ発振器であって、光ファイバケーブル１１０を介して加工ヘッド１００にレーザ光を供給する。
【００１６】
制御装置４００は、制御手段として、レーザ光によるワークへの入熱量を制御するものである。制御装置４００は、加工ヘッド１００を制御する加工ヘッド制御部４１０、ロボット２００を制御するロボット制御部４２０、および入熱量を制御するための各種処理を実行する集合制御部４３０を有する。また、制御装置４００は、信号発生器３３０を介して、レーザ発振器３００に接続されている。
【００１７】
次に、図２を参照して、本実施の形態における加工ヘッド１００について詳細に説明する。図２は、本実施の形態のレーザ加工装置における加工ヘッドを説明するための図である。図２に示されるとおり、本実施の形態の加工ヘッド１００は、光ファイバケーブル１１０から入射されるレーザ光を透過する複数のレンズ１２０、レーザ光を反射する複数のミラー１３０、および駆動モータ１４０を有する。
【００１８】
複数のレンズ１２０のうち、一のレンズ１２０ｂは、レンズ駆動手段としての第１駆動モータ１４０ａによって制御され、光軸方向に移動する。第１駆動モータ１４０ａは、制御装置４００の加工ヘッド制御部４１０により制御される。このような構成にすると、レンズ１２０ｂが移動されることにより、ワークに照射するレーザ光の焦点距離、すなわち、レーザ光のスポット径を調整することができる。
【００１９】
複数のミラー１３０のうち、第１および第２ミラー１３０ｂ，１３０ｃは、ミラー駆動手段としての第２および第３駆動モータ１４０ｂ，１４０ｃによって制御され、それぞれ異なる軸を中心に回動する。第２および第３駆動モータ１４０ｂ，１４０ｃは、制御装置４００の加工ヘッド制御部４１０により制御される。このような構成にすると、第１および第２ミラー１３０ｂ，１３０ｃが回動することにより、レーザ光の射出方向を自在に振り分けられ、レーザ光はワーク表面を自在に移動することができる。また、ミラー１３０ｂ，１３０ｃの回動速度を制御することにより、レーザ光の移動速度を調整することができる。
【００２０】
以上のとおり構成される本実施の形態のレーザ加工装置によれば、加工経路の少なくとも一方の端領域でのレーザ光の照射角度に応じて、当該端領域でのレーザ光によるワークへの入熱量が制御される。本実施の形態では、端領域でのレーザ光の照射角度に応じて、端領域でのレーザ光のスポット径が調整されることにより、ワークへの入熱量が制御される。以下、図３〜図６を参照して、本実施の形態におけるレーザ加工方法について詳細に説明する。
【００２１】
図３は、本実施の形態のレーザ加工装置におけるレーザ加工処理を示すフローチャートである。図３に示す処理は制御装置４００により実行され、制御装置４００からの指令に基づいて、加工ヘッド１００、ロボット２００、およびレーザ発振器３００は動作する。上述したとおり、本実施の形態では、端領域でのレーザ光の照射角度に応じて、当該端領域でのレーザ光のスポット径を調整することにより、レーザ光によるワークへの入熱量を制御する。より具体的には、端領域でのレーザ光のスポット径が加工経路の主領域でのスポット径よりも大きくなるようにレーザ光のスポット径を変化させる際に、レーザ光の照射角度が垂直に近いほど、スポット径が緩やかに変化するようにスポット径が調整され、単位時間当たりのワークへの入熱量が制御される。
【００２２】
なお、本実施の形態において、加工ヘッド１００は、ロボット２００により駆動されてワーク表面を移動しつつ、ミラー１３０ｂ，１３０ｃを駆動させてレーザ光を自在に移動させる。すなわち、本実施の形態では、加工ヘッド１００とロボット２００とは協調制御される。教示データに基づいて、加工ヘッド１００とロボット２００とが協調制御される処理自体は、一般的な制御技術であるため、詳細な説明は省略する。
【００２３】
図３に示されるとおり、本実施の形態のレーザ加工処理によれば、まず、加工経路の端領域に照射されるレーザ光の照射角度が取得される（ステップＳ１０１）。より具体的には、レーザ加工装置の加工動作が設定されている教示データから、加工経路の始端領域および終端領域に照射されるレーザ光の照射角度が取得される。
【００２４】
次に、取得された照射角度に対応する制御時間が算出される（ステップＳ１０２）。本実施の形態では、予め求められている照射角度と制御時間との関係式に基づいて、照射角度に対応する制御時間が算出される。より具体的には、図４に示されるとおり、レーザ光の照射角度が大きいほど、大きな制御時間（たとえば、制御時間Ｔｃ）が算出される。すなわち、レーザ光の照射角度が垂直に近いほど、レーザ光のスポット径が緩やかに変化するように大きな制御時間が算出される。なお、本実施の形態では、教示データ上の加工始点Ｓおよび加工終点Ｅにおける照射角度に基づいて、第１および第２の制御時間Ｔ１，Ｔ２が算出される。
【００２５】
次に、算出された制御時間に基づいて、レンズ１２０ｂの移動速度が算出される（ステップＳ１０３）。上述したとおり、レンズ１２０ｂがレーザ光の光軸に沿って移動されることにより、ワーク表面におけるレーザ光のスポット径が調整される。本実施の形態では、レーザ光のスポット径が、始端領域において、第２のスポット径Ｓ２から、第２のスポット径Ｓ２よりも小さい第１のスポット径Ｓ１に第１の制御時間Ｔ１で変化し、終端領域において、第１のスポット径Ｓ１から第２のスポット径Ｓ２に第２の制御時間Ｔ２で変化するように、レンズ１２０ｂの移動速度が算出される。
【００２６】
次に、ステップＳ１０２に示す処理で算出された第１の制御時間Ｔ１に基づいて、準備点Ｓ’が算出される（ステップＳ１０４）。本実施の形態では、図５に示されるとおり、加工ヘッド１００の移動方向において、教示データ上の加工始点Ｓよりも手前の未加工領域に準備点Ｓ’が設定され、レーザ加工装置は、設定された準備点Ｓ’からレーザ加工を開始する。このような準備点Ｓ’は、レーザ光のスポットの移動速度と制御時間との積から得られる加工延長領域が始点Ｓの手前に付与されることにより算出される。このような構成にすると、ワークへの入熱量が制御されて溶接加工が不安定となる領域に対応する加工長さが補正されることにより、必要な溶接領域が得られる。言い換えれば、始点Ｓから終点Ｅに対応する教示データ上の溶接領域で、溶接深さ（溶け込み深さ）が安定した溶接状態を得ることができる。なお、本実施の形態では、集合制御部４３０が、加工延長領域を算出して加工経路を補正する補正手段として機能する。
【００２７】
次に、算出された準備点Ｓ’に基づいて、レーザ光の照射角度が再計算され（ステップＳ１０５）、再計算された照射角度が加工ヘッド１００に出力される（ステップＳ１０６）。より具体的には、図５に示されるとおり、加工ヘッド１００を移動させることなく準備点Ｓ’にレーザ光を照射することができるように、教示データにおける始点Ｓでの照射角度θ０に基づいて、準備点Ｓ’でのレーザ光の照射角度θ１が再計算される。このような構成にすると、準備点Ｓ’から始点Ｓまでの加工延長領域を、ミラー１３０の回動動作に起因するレーザ光の移動のみを利用して加工することができるため、ロボット２００の動作を変更することなく容易に加工することができる。
【００２８】
以上のとおり、ステップＳ１０１〜ステップＳ１０６に示す処理によれば、端領域でのレーザ光の照射角度に基づいて、スポット径の制御時間が算出される。そして、算出された制御時間に基づいて、レンズの移動速度が算出される。以下の処理では、算出されたレンズの移動速度に基づいて、ワーク表面におけるレーザ光のスポット径が調整されつつ、ワークが溶接加工される。
【００２９】
ステップＳ１０７以下の処理では、まず、加工ヘッド１００が加工開始位置に到達したか否かが判断される（ステップＳ１０７）。本実施の形態では、予め記憶されている教示データに基づいて、たとえば、ロボット２００の位置を検出することにより、加工ヘッド１００が開始位置に到達したか否かが判断される。加工ヘッド１００が開始位置に到達していない場合（ステップＳ１０７：ＮＯ）、加工ヘッド１００が開始位置に到達するまで待機する。
【００３０】
一方、加工ヘッド１００が開始位置に到達した場合（ステップＳ１０７：ＹＥＳ）、ステップＳ１０３に示す処理で算出されたレンズ１２０ｂの移動速度に基づいて駆動指令信号が出力される（ステップＳ１０８）。本実施の形態では、制御装置４００から出力される駆動指令信号にしたがって第１駆動モータ１４０ａが制御され、レンズ１２０ｂの移動速度が調整されることにより、ワークに照射されるレーザ光のスポット径が調整される。その結果、加工経路の始端領域において、ワークに照射されるレーザ光のスポットが準備点Ｓ’から始点Ｓまで第１の制御時間Ｔ１で移動しつつ、レーザ光のスポット径が第２のスポット径Ｓ２から第１のスポット径Ｓ１まで変化する。そして、スポット径が第１のスポット径Ｓ１に維持された状態で、始点Ｓから終点Ｅに向かって加工経路の主領域をレーザ光のスポットが移動される。
【００３１】
次に、加工ヘッド１００が加工終了位置に到達したか否かが判断される（ステップＳ１０９）。加工ヘッド１００が終了位置に到達していない場合（ステップＳ１０９：ＮＯ）、加工ヘッド１００が終了位置に到達するまで、処理が繰り返される。
【００３２】
一方、加工ヘッド１００が終了位置に到達した場合（ステップＳ１０９：ＹＥＳ）、ステップＳ１０３に示す処理で算出されたレンズ１２０ｂの移動速度に基づいて駆動指令信号が出力され（ステップＳ１１０）、処理が終了される。その結果、加工経路の終端領域において、ワークに照射されるレーザ光のスポットが終点Ｅから処理点Ｅ’まで第２の制御時間Ｔ２で移動しつつ、レーザ光のスポット径が第１のスポット径Ｓ１から第２のスポット径Ｓ２まで変化する。
【００３３】
以上のとおり、図３に示すフローチャートの処理によれば、加工経路の端領域でのレーザ光の照射角度に基づいて、端領域でのレーザ光のスポット径が調整され、ワークへの入熱量が制御される。より具体的には、加工経路の端領域でのレーザ光の照射角度がワークに対して垂直に近い場合、スポット径が緩やかに変化するようにレンズ移動速度が調整され、ワークへの入熱量を小さくすることができる。一方、端領域でのレーザ光の照射角度がワークに対して水平に近い場合、スポット径が急速に変化するようにレンズ移動速度が調整され、ワークへの入熱量を大きくすることができる。
【００３４】
図６は、レーザ光のスポット径を制御することによって、加工経路の端領域でのワークへの入熱量を制御するレーザ加工装置の動作を説明するための図である。上述したとおり、図３に示すフローチャートの処理において制御装置４００から出力される指令信号に基づいて、加工ヘッド１００、ロボット２００、およびレーザ発振器３００は動作する。
【００３５】
図６に示されるとおり、本実施の形態では、始点Ｓから終点Ｅに向かって照射角度が小さくなっており、当該照射角度に基づいて、端領域での入熱量が制御される。より具体的には、準備点Ｓ’から始点Ｓに向かって、スポット径が緩やかに小さくなるように、レンズ１２０ｂの移動速度が調整される。一方、終点Ｅから処理点Ｅ’に向かって、スポット径が急速に大きくなるように、レンズ１２０ｂの移動速度が調整される。この間、ロボット２００の移動速度（ロボット移動速度）およびミラー１３０の回動速度は所定の値に維持され、レーザ光の移動速度（スポット移動速度）も所定の値に維持される。
【００３６】
以上のとおり、本実施の形態のレーザ加工装置によれば、加工経路の端領域でのレーザ光の照射角度に応じて、レーザ光のスポット径が調整され、当該端領域でのワークへの入熱量が制御される。その結果、レーザ光の照射角度が大きい端領域ではワークへの入熱量が抑制され、レーザ光の照射角度が小さい端領域では、ワークへの入熱量が増大され、端領域での溶接状態が安定化される。また、余分な溶接を実施することなく、滑らかな溶接ビードが得られる。
【００３７】
なお、本実施の形態では、レンズ１２０ｂを光軸に沿って移動させることにより、レーザ光のスポット径を調整した。しかしながら、加工ヘッド１１０の位置をワークの法線方向に移動させることにより、レンズ１２０ｂを移動させることなく、スポット径を調整することもできる。
【００３８】
以上のとおり、説明された本実施の形態は、以下の効果を奏する。
【００３９】
本実施の形態のレーザ加工装置は、ワークにレーザ光を照射しつつ、当該レーザ光を加工経路に沿って移動させることにより当該ワークを加工するレーザ加工装置であって、加工経路の少なくとも一方の端領域でのレーザ光の照射角度に応じて、当該端領域でのレーザ光によるワークへの入熱量を制御する。したがって、加工経路の端領域でのワークへの入熱量が制御されるため、当該端領域での加工が安定化される。その結果、ワークの加工品質が向上される。また、端領域での穴の発生が抑制され、端領域の美観が確保される。さらに、入熱量の減衰距離が適当に設定されるため、未加工部分を最小限に留めつつ、穴の発生が抑制される。
【００４０】
制御装置は、端領域での入熱量が加工経路の主領域での入熱量よりも小さくなるように入熱量を変化させる際に、端領域でのレーザ光の照射角度が垂直に近いほど、入熱量を緩やかに変化させる。したがって、端領域でのレーザ光の照射角度が垂直に近いほど、ワークへの入熱量が低減されるため、端領域での加工が安定化される。
【００４１】
制御装置は、端領域でのレーザ光のスポット径を調整することにより、入熱量を制御する。したがって、レーザ光の移動速度およびレーザ発振器の出力を変更することなく、ワークへの入熱量を容易に制御することができる。
【００４２】
制御装置は、端領域でのレーザ光のスポット径が加工経路の主領域でのスポット径よりも大きくなるようにレーザ光のスポット径を変化させる際に、端領域でのレーザ光の照射角度が垂直に近いほど、スポット径を緩やかに変化させる。したがって、端領域でのレーザ光の照射角度が垂直に近いほど、ワークへの入熱量が低減されるため、端領域での加工が安定化される。
【００４３】
制御装置は、レンズを移動させる駆動モータを制御して、スポットの大きさを調整する。したがって、ロボットの動作を変更することなく、加工ヘッド内部の光学系を調整することにより、ワークへの入熱量を容易に制御することができる。
【００４４】
制御装置は、加工経路の主領域の長さが必要な加工長さになるように、入熱量が変化する領域の長さに応じて、加工経路を補正する。したがって、溶け込み深さが浅くなる領域が補正され、必要な加工長を確保することができる。さらに、レーザ溶接加工において、溶接強度が増大し、加工品質がさらに向上される。
【００４５】
本実施の形態のレーザ加工方法は、ワークにレーザ光を照射しつつ、当該レーザ光を加工経路に沿って移動させることにより当該ワークを加工するレーザ加工方法であって、加工経路の少なくとも一方の端領域でのレーザ光の照射角度に応じて、当該端領域でのレーザ光によるワークへの入熱量を制御する。したがって、加工経路の端領域でのワークへの入熱量が制御されるため、当該端領域での加工が安定化される。その結果、ワークの加工品質が向上される。また、端領域での穴の発生が抑制され、端領域の美観が確保される。
【００４６】
（第２の実施の形態）
第１の実施の形態では、レーザ光のスポット径を調整することにより、ワークへの入熱量を制御した。本実施の形態では、レーザ光の移動速度を調整することにより、ワークへの入熱量を制御する。
【００４７】
図７は、本実施の形態のレーザ加工装置におけるレーザ加工処理を示すフローチャートである。図７に示す処理は制御装置４００により実行され、制御装置４００からの指令に基づいて、加工ヘッド１００、ロボット２００、およびレーザ発振器３００は動作する。上述したとおり、本実施の形態では、加工経路の端領域でのレーザ光の照射角度に応じて、レーザ光の移動速度を調整することにより、レーザ光によるワークへの入熱量を制御する。より具体的には、端領域でのレーザ光の移動速度が加工経路の主領域での移動速度よりも大きくなるようにレーザ光の移動速度を変化させる際に、レーザ光の照射角度が垂直に近いほど、当該端領域でのレーザ光の移動速度が緩やかに変化するようにレーザ光の移動速度が調整されることにより、単位時間当たりのワークへの入熱量が制御される。なお、本実施の形態におけるレーザ加工装置の構成は、第１の実施の形態と同様であるため、詳細な説明は省略する。
【００４８】
図７に示されるとおり、本実施の形態のレーザ加工処理によれば、まず、加工経路の端領域に照射されるレーザ光の照射角度が取得され（ステップＳ２０１）、取得された照射角度に対応する制御時間が算出される（ステップＳ２０２）。本実施の形態では、予め求められている照射角度と制御時間との関係式に基づいて、照射角度に対応する制御時間が算出される。より具体的には、図８に示されるとおり、レーザ光の照射角度が大きいほど、大きな制御時間（たとえば、制御時間Ｔｃ）が算出される。すなわち、レーザ光の照射角度が垂直に近いほど、レーザ光の移動速度が緩やかに変化するように大きな制御時間が算出される。なお、本実施の形態では、教示データ上の加工始点Ｓおよび加工終点Ｅにおける照射角度に基づいて、第１および第２の制御時間Ｔ１，Ｔ２が算出される。
【００４９】
次に、算出された制御時間に基づいて、第１および第２ミラー１３０ｂ，１３０ｃの回動速度が算出される（ステップＳ２０３）。上述したとおり、第１および第２ミラー１３０ｂ，１３０ｃの少なくとも一方の回動速度が制御されることにより、レーザ光のスポットの移動速度が調整される。本実施の形態では、レーザ光のスポットの移動速度が、始端領域において、第２の速度Ｖ２から、第２の速度Ｖ２よりも小さい第１の速度Ｖ１に第１の制御時間Ｔ１で変化し、終端領域において、第１の速度Ｖ１から第２の速度Ｖ２に第２の制御時間Ｔ２で変化するように、ミラー１３０の回動速度が算出される。
【００５０】
次に、ステップＳ２０２に示す処理で算出された第１の制御時間Ｔ１に基づいて、準備点Ｓ’が算出される（ステップＳ２０４）。そして、算出された準備点Ｓ’に基づいて、レーザ光の照射角度が再計算され（ステップＳ２０５）、再計算された照射角度が加工ヘッド１００に出力される（ステップＳ２０６）。
【００５１】
以上のとおり、ステップＳ２０１〜ステップＳ２０６に示す処理によれば、端領域でのレーザ光の照射角度に基づいて、レーザ光の移動速度の制御時間が算出される。そして、算出された制御時間に基づいて、ミラーの回動速度が算出される。以下の処理では、算出されたミラーの回動速度に基づいて、ワーク表面におけるレーザ光の移動速度が調整されつつ、ワークが溶接加工される。
【００５２】
ステップＳ２０７以下の処理では、まず、加工ヘッド１００が加工開始位置に到達したか否かが判断される（ステップＳ２０７）。加工ヘッド１００が開始位置に到達していない場合（ステップＳ２０７：ＮＯ）、加工ヘッド１００が開始位置に到達するまで待機する。
【００５３】
一方、加工ヘッド１００が開始位置に到達した場合（ステップＳ２０７：ＹＥＳ）、ステップＳ２０３に示す処理で算出されたミラー１３０の回動速度に基づいて駆動指令信号が出力される（ステップＳ２０８）。本実施の形態では、制御装置４００から出力される駆動指令信号にしたがって駆動モータ１４０が制御されることにより、ワークに照射されるレーザ光のスポットの移動速度が調整される。その結果、加工経路の始端領域において、ワークに照射されるレーザ光のスポットが準備点Ｓ’から始点Ｓまで第１の制御時間Ｔ１で移動しつつ、レーザ光のスポットの移動速度が第２の速度Ｖ２から第１の速度Ｖ１まで変化する。そして、移動速度が第１の速度Ｖ１に維持された状態で、始点Ｓから終点Ｅに向かって加工経路の主領域をレーザ光のスポットが移動される。
【００５４】
次に、加工ヘッド１００が加工終了位置に到達したか否かが判断される（ステップＳ２０９）。加工ヘッド１００が終了位置に到達していない場合（ステップＳ２０９：ＮＯ）、加工ヘッド１００が終了位置に到達するまで、処理が繰り返される。
【００５５】
一方、加工ヘッド１００が終了位置に到達した場合（ステップＳ２０９：ＹＥＳ）、ステップＳ２０３に示す処理で算出されたミラー１３０の回動速度に基づいて駆動指令信号が出力され（ステップＳ２１０）、処理が終了される。その結果、加工経路の終端領域において、ワークに照射されるレーザ光のスポットが終点Ｅから処理点Ｅ’まで第２の制御時間Ｔ２で移動しつつ、レーザ光のスポットの移動速度が、第１の速度Ｖ１から第２の速度Ｖ２まで変化する。
【００５６】
以上のとおり、図７に示すフローチャートの処理によれば、加工経路の端領域でのレーザ光の照射角度に基づいて、端領域でのレーザ光の移動速度が調整され、ワークへの入熱量が制御される。より具体的には、加工経路の端領域でのレーザ光の照射角度がワークに対して垂直に近い場合、スポットの移動速度が緩やかに変化するように駆動モータが制御され、ワークへの入熱量を小さくすることができる。一方、加工経路の端領域でのレーザ光の照射角度がワークに対して水平に近い場合、スポットの移動速度が急速に変化するように駆動モータが制御され、ワークへの入熱量を大きくすることができる。
【００５７】
図９は、レーザ光の移動速度を制御することによって、溶接端領域でのワークへの入熱量を制御するレーザ加工装置の動作を説明するための図である。上述したとおり、図７に示すフローチャートの処理において制御装置４００から出力される指令信号に基づいて、加工ヘッド１００、ロボット２００、およびレーザ発振器３００は動作する。
【００５８】
図９に示されるとおり、本実施の形態では、始点Ｓから終点Ｅに向かって照射角度が小さくなっており、当該照射角度に基づいて、端領域での入熱量が制御される。より具体的には、準備点Ｓ’から始点Ｓに向かって、スポットの移動速度、すなわち、溶接速度がゆっくりと小さくなるように、ミラー１３０の回動速度が調整される。一方、終点Ｅから処理点Ｅ’に向かって、スポットの移動速度が比較的急速に大きくなるように、ミラー１３０の回動速度が調整される。この間、レンズ１２０ｂの移動速度は所定の値に維持され、レーザ光のスポット径も所定の値に維持される。
【００５９】
以上のとおり、本実施の形態のレーザ加工装置によれば、加工経路の端領域でのレーザ光の照射角度に応じて、レーザ光のスポットの移動速度が調整され、端領域でのワークへの入熱量が制御される。その結果、レーザ光の照射角度が大きい端領域ではワークへの入熱量が抑制され、レーザ光の照射角度が小さい端領域ではワークへの入熱量が増大され、加工経路の端領域での溶接状態が安定化される。また、余分な溶接を実施することなく、滑らかな溶接ビードが得られる。
【００６０】
なお、本実施の形態では、ミラー１３０の回動速度を制御することにより、レーザ光の移動速度を調整した。しかしながら、図１０に示されるとおり、ロボット２００の移動速度を制御して加工ヘッド１１０の移動速度を調整することにより、ミラーの回動速度を制御することなく、レーザ光の移動速度を調整することもできる。この場合、レーザ光の移動速度の制御時間に基づいて、ミラー１３０の回動速度に代わって、ロボット２００の移動速度が算出されることを除いては、図７に示すフローチャートと同様であるため、詳細な説明は省略する。
【００６１】
以上のとおり、説明された本実施の形態は、第１の実施の形態における効果に加えて、以下の効果を奏する。
【００６２】
制御装置は、端領域でのレーザ光の移動速度を調整することにより、入熱量を制御する。したがって、レーザ光のスポット径およびレーザ発振器の出力を制御することなく、入熱量を容易に制御することができる。
【００６３】
制御装置は、端領域でのレーザ光の移動速度が加工経路の主領域での移動速度よりも大きくなるようにレーザ光の移動速度を変化させる際に、端領域でのレーザ光の照射角度が垂直に近いほど、移動速度を緩やかに変化させる。したがって、端領域でのレーザ光の照射角度が垂直に近いほど、ワークへの入熱量が低減されるため、端領域での加工が安定化される。
【００６４】
制御装置は、ミラーを回動させる駆動モータを制御して、レーザ光の移動速度を調整する。したがって、ロボットの動作を変更することなく、加工経路の端領域での加工ヘッド内部のミラーの動作を調整することにより、ワークへの入熱量を容易に制御することができる。
【００６５】
制御装置は、駆動ロボットを制御して、レーザ光の移動速度を調整する。したがって、加工ヘッド内部のミラーの動作を変更することなく、ロボットの移動速度を調整することにより、ワークへの入熱量を容易に制御することができる。また、加工経路の端領域でのロボットの移動速度の増加量に応じて、加工時間が短縮される。
【００６６】
（第３の実施の形態）
本実施の形態では、レーザ光の出力（パワー）を調整することにより、ワークへの入熱量を制御する。
【００６７】
図１１は、本実施の形態のレーザ加工装置におけるレーザ加工処理を示すフローチャートである。図１１に示す処理は制御装置４００により実行され、制御装置４００からの指令に基づいて、加工ヘッド１００、ロボット２００、およびレーザ発振器３００は動作する。上述したとおり、本実施の形態では、端領域でのレーザ光の照射角度に応じて、端領域でのレーザ光の出力を調整することにより、レーザ光によるワークへの入熱量を制御する。より具体的には、端領域でのレーザ出力が加工経路の主領域でのレーザ出力よりも小さくなるようにレーザ出力を変化させる際に、レーザ光の照射角度が垂直に近いほど、当該端領域でのレーザ光の出力が緩やかに変化するようにレーザ光の出力が調整されることにより、単位時間当たりのワークへの入熱量が制御される。なお、本実施の形態におけるレーザ加工装置の構成は、第１の実施の形態と同様であるため、詳細な説明は省略する。
【００６８】
図１１に示されるとおり、本実施の形態の加工処理によれば、まず、加工経路の端領域に照射されるレーザ光の照射角度が取得され（ステップＳ３０１）、取得された照射角度に対応する制御時間が算出される（ステップＳ３０２）。本実施の形態では、予め求められている照射角度と制御時間との関係式に基づいて、照射角度に対応する制御時間が算出される。より具体的には、図１２に示されるとおり、レーザ光の照射角度が大きいほど、大きな制御時間（たとえば、制御時間Ｔｃ）が算出される。すなわち、レーザ光の照射角度が垂直に近いほど、レーザ光の出力が緩やかに変化するように大きな制御時間が算出される。なお、本実施の形態では、教示データ上の加工始点Ｓおよび加工終点Ｅにおける照射角度に基づいて、第１および第２の制御時間Ｔ１，Ｔ２が算出される。
【００６９】
次に、算出された制御時間に基づいて、レーザ光の出力波形が算出される（ステップＳ３０３）。本実施の形態では、レーザ光の出力が、加工経路の始端領域において、第２の出力Ｐ２から、第２の出力Ｐ２よりも大きい第１の出力Ｐ１まで第１の制御時間Ｔ１で変化し、終端領域において、第１の出力Ｐ１から第２の出力Ｐ２に第２の制御時間Ｔ２で変化するように、レーザ発振器３００の出力波形が算出される。なお、本実施の形態では、信号発生器３３０を介してレーザ発振器３００に出力波形が入力される。
【００７０】
次に、ステップＳ３０２に示す処理で算出された第１の制御時間Ｔ１に基づいて、準備点Ｓ’が算出される（ステップＳ３０４）。そして、算出された準備点Ｓ’に基づいて、レーザ光の照射角度が再計算され（ステップＳ３０５）、再計算された照射角度が加工ヘッド１００に出力される（ステップＳ３０６）。
【００７１】
以上のとおり、ステップＳ３０１〜ステップＳ３０６に示す処理によれば、端領域でのレーザ光の照射角度に基づいて、レーザ光の出力の制御時間が算出される。そして、算出された制御時間に基づいて、レーザ光の出力波形が算出される。以下の処理では、算出されたレーザ光の出力波形に基づいて、ワーク表面におけるレーザ光の出力が調整されつつ溶接加工が実行される。
【００７２】
ステップＳ３０７以下の処理では、まず、加工ヘッド１００が加工開始位置に到達したか否かが判断される（ステップＳ３０７）。加工ヘッド１００が開始位置に到達していない場合（ステップＳ３０７：ＮＯ）、加工ヘッド１００が開始位置に到達するまで待機する。
【００７３】
一方、加工ヘッド１００が開始位置に到達した場合（ステップＳ３０７：ＹＥＳ）、ステップＳ３０３に示す処理で算出されたレーザ光の出力波形に基づいて指令信号が出力される（ステップＳ３０８）。本実施の形態では、出力される指令信号にしたがって、レーザ発振器３００の出力が制御され、ワークに照射されるレーザ光の出力が調整される。その結果、加工経路の始端領域において、ワークに照射されるレーザ光のスポットが準備点Ｓ’から始点Ｓまで第１の制御時間Ｔ１で移動しつつ、レーザ光の出力が、第２の出力Ｐ２から第１の出力Ｐ１まで変化する。そして、レーザ出力が第１の出力Ｐ１に維持された状態で、始点Ｓから終点Ｅに向かって加工経路の主領域をレーザ光のスポットが移動される。
【００７４】
次に、加工ヘッド１００が加工終了位置に到達したか否かが判断される（ステップＳ３０９）。加工ヘッド１００が終了位置に到達していない場合（ステップＳ３０９：ＮＯ）、加工ヘッド１００が終了位置に到達するまで、処理が繰り返される。
【００７５】
一方、加工ヘッド１００が終了位置に到達した場合（ステップＳ３０９：ＹＥＳ）、ステップＳ３０３に示す処理で算出されたレーザ光の出力波形に基づいて指令信号が出力され（ステップＳ３１０）、処理が終了される。その結果、加工経路の終端領域において、ワークに照射されるレーザ光のスポットが終点Ｅから処理点Ｅ’まで第２の制御時間Ｔ２で移動しつつ、レーザ光の出力が第１の出力Ｐ１から第２の出力Ｐ２まで変化する。
【００７６】
以上のとおり、図１１に示すフローチャートの処理によれば、加工経路の端領域でのレーザ光の照射角度に基づいて、端領域でのレーザ光の出力が調整され、ワークへの入熱量が制御される。より具体的には、加工経路の端領域でのレーザ光の照射角度がワークに対して垂直に近い場合、レーザ光の出力が緩やかに変化するようにレーザ発振器３００が制御され、ワークへの入熱量を小さくすることができる。一方、加工経路の端領域でのレーザ光の照射角度がワークに対して水平に近い場合、レーザ光の出力が急速に変化するようにレーザ発振器３００が制御され、ワークへの入熱量を大きくすることができる。
【００７７】
図１３は、レーザ発振器のレーザ出力を調整することによって、溶接経路の端領域でのワークへの入熱量を制御するレーザ加工装置の動作を説明するための図である。上述したとおり、図１０に示すフローチャートの処理において制御装置４００から出力される指令信号に基づいて、加工ヘッド１００、ロボット２００、およびレーザ発振器３００は動作する。
【００７８】
図１３に示されるとおり、本実施の形態では、始点Ｓから終点Ｅに向かって照射角度が小さくなっており、当該照射角度に基づいて、端領域での入熱量が制御される。より具体的には、準備点Ｓ’から始点Ｓに向かって、レーザ光の出力が緩やかに大きくなるように、レーザ発振器３００のレーザ出力が調整される。一方、終点Ｅから処理点Ｅ’に向かって、レーザ光の出力が急速に小さくなるように、レーザ発振器のレーザ出力が調整される。この間、ロボット２００の移動速度、レンズ１２０ｂの移動速度、およびミラー１３０の回動速度は、所定の値に維持され、レーザ光の移動速度およびスポット径も所定の値に維持される。
【００７９】
以上のとおり、本実施の形態のレーザ加工装置によれば、加工経路の端領域の角度に応じて、レーザ光の出力が調整され、加工経路の端領域でのワークへの入熱量が制御される。その結果、レーザ光の照射角度が大きい端領域ではワークへの入熱量が抑制され、レーザ光の照射角度が小さい端領域ではワークへの入熱量が増大され、加工経路の端領域での溶接状態が安定化される。また、余分な溶接を実施することなく、滑らかな溶接ビードが得られる。
【００８０】
以上のとおり、説明された本実施の形態は、第１および第２の実施の形態における効果に加えて、以下の効果を奏する。
【００８１】
制御装置は、レーザ発振器のレーザ出力を調整することにより、入熱量を制御する。したがって、ロボットの動作および加工ヘッド内部の光学系の動作を変更することなく、ワークへの入熱量を容易に制御することができる。
【００８２】
制御装置は、端領域でのレーザ出力が加工経路の主領域でのレーザ出力よりも小さくなるようにレーザ出力を変化させる際に、端領域でのレーザ光の照射角度が垂直に近いほど、レーザ出力を緩やかに変化させる。したがって、端領域でのレーザ光の照射角度が垂直に近いほど、ワークへの入熱量が低減されるため、端領域での加工が安定化される。
【００８３】
以上のとおり、第１〜第３の実施の形態において、本発明のレーザ加工装置およびレーザ加工方法を説明した。しかしながら、本発明は、その技術思想の範囲内において当業者が適宜に追加、変形、省略することができることはいうまでもない。
【００８４】
たとえば、本実施の形態では、ロボットと加工ヘッドとが協調制御され、加工ヘッドが移動されるとともに、加工ヘッド内部のミラーが駆動されてレーザ光が移動された。しかしながら、加工ヘッドが停止した状態でミラーが駆動されてレーザ光が移動されることもできる。
【００８５】
また、本実施の形態では、本発明のレーザ加工装置およびレーザ加工方法をレーザ溶接加工に適用した。しかしながら、本発明のレーザ加工装置およびレーザ加工方法を、レーザ切断加工およびレーザ穴開け加工などに適用することもできる。
【図面の簡単な説明】
【００８６】
【図１】本発明の第１の実施の形態におけるレーザ加工装置の概略構成を示す図である。
【図２】図１に示すレーザ加工装置における加工ヘッドを説明するための図である。
【図３】図１に示すレーザ加工装置におけるレーザ加工処理を示すフローチャートである。
【図４】図３に示すフローチャートにおける制御時間算出処理を説明するための図である。
【図５】図３に示すフローチャートにおける準備点算出処理を説明するための図である。
【図６】図１に示すレーザ加工装置の動作を説明するための図である。
【図７】本発明の第２の実施の形態におけるレーザ加工処理を示すフローチャートである。
【図８】図７に示すフローチャートにおける制御時間算出処理を説明するための図である。
【図９】本発明の第２の実施の形態におけるレーザ加工装置の動作を説明するための図である。
【図１０】本発明の第２の実施の形態の変形例を説明するための図である。
【図１１】本発明の第３の実施の形態におけるレーザ加工処理を示すフローチャートである。
【図１２】図１１に示すフローチャートにおける制御時間算出処理を説明するための図である。
【図１３】本発明の第３の実施の形態におけるレーザ加工装置の動作を説明するための図である。
【符号の説明】
【００８７】
１００    加工ヘッド、
２００    ロボット、
３００    レーザ発振器、
４００    制御装置。
【図１】
2008000779.tif 000003
【図２】
2008000779.tif 000004
【図３】
2008000779.tif 000005
【図４】
2008000779.tif 000006
【図５】
2008000779.tif 000007
【図６】
2008000779.tif 000008
【図７】
2008000779.tif 000009
【図８】
2008000779.tif 000010
【図９】
2008000779.tif 000011
【図１０】
2008000779.tif 000012
【図１１】
2008000779.tif 000013
【図１２】
2008000779.tif 000014
【図１３】
2008000779.tif 000015